(57)【要約】【課題】長い架空ケーブルに対しても回転式鳥害防止器の取付を容易にするとともに、各回転体が常に鳥の体重で回転するよう取り付けられるようにする。また、重量および製造コストが軽減されるようにする。【解決手段】架空ケーブル３０を包囲する弾性プラスチック製のパイプ１と、両端部に環状の支持体２２，２３が設けられ該支持体の外周縁間に複数本のバー２４ａ〜２４ｄを平行に設けた回転体２０とからなり、該支持体に前記パイプを貫挿することにより該回転体が回転自在に支持されるようにした回転式鳥害防止器であって、前記パイプは内側に架空ケーブルを挿入可能にする縦方向の開閉条３を形成するとともに該パイプの両端に連結体４，５を設け、該連結体の外径を支持体の内径より大径に形成することにより前記回転体の長手方向への移動が防がれるようにする。前記回転体は縦方向に２分割された一対の同形のプラスチック成形品２１を合着することにより籠状に組み立てられる。【選択図】図７
2006000035.tif 000002
【特許請求の範囲】
【請求項１】
架空ケーブルを包囲する弾性プラスチック製のパイプと、両端部に環状の支持体が設けられ該支持体の外周縁間に複数本のバーを平行に設けた回転体とからなり、該支持体に前記パイプを貫挿することにより該回転体が回転自在に支持されるようにした回転式鳥害防止器であって、前記パイプは内側に架空ケーブルを挿入可能にする縦方向の開閉条を形成するとともに該パイプの両端に連結体を設け、さらに前記回転体の長手方向への移動が防がれるように移動阻止手段を設けたことを特徴とする架空ケーブル用回転式鳥害防止器。
【請求項２】
架空ケーブルを包囲する弾性プラスチック製のパイプと、両端部に環状の支持体が設けられ該支持体の外周縁間に複数本のバーを平行に設けた回転体とからなり、該支持体に前記パイプを貫挿することにより該回転体が回転自在に支持されるようにした回転式鳥害防止器であって、前記パイプは内側に架空ケーブルを挿入可能にする縦方向の開閉条を形成するとともに該パイプの両端に連結体を設け、前記回転体は縦方向に２分割された一対の略同形のプラスチック成形品を合着することにより籠状に組み立てられたものであることを特徴とする架空ケーブル用回転式鳥害防止器。
【請求項３】
回転体の長手方向への移動を防ぐためパイプの連結体の外径を支持体の内径より大径に形成したことを特徴とする請求項１または２に記載の架空ケーブル用回転式鳥害防止器。
【請求項４】
プラスチック成形品に係合孔および係合爪を一体に形成し、その係合により互いに合着し得るようにした請求項２または３に記載の架空ケーブル用回転式鳥害防止器。
【請求項５】
パイプの一端に雄型連結体を形成し、他端に雌型連結体を形成した請求項１〜４のいずれかに記載の架空ケーブル用回転式鳥害防止器。
【請求項６】
パイプの内面を凹凸状に形成した請求項１〜５のいずれかに記載の架空ケーブル用回転式鳥害防止器。
【発明の詳細な説明】
【技術分野】
【０００１】
本発明は電力線や通信線などの架空ケーブル（ワイヤー）に野鳥が止まって閃絡や糞害等をもたらすのを防止する架空ケーブル用の回転式鳥害防止器に関するものである。
【背景技術】
【０００２】
本発明者の発明に係る下記特許文献１に記載された電線等の鳥害防止器は、電線等の架空ケーブルの外周に回転自在なるように籠状の回転体を設け、カラス等の野鳥が止まろうとすると、その野鳥の体重で該回転体が回転することで野鳥が止まらないようにし、鳥害を有効に防止できるものである。
【特許文献１】特公平５−８６１２５号公報
【発明の開示】
【発明が解決しようとする課題】
【０００３】
ところで、長い架空ケーブルには上記回転体を多数個連結して設けるものであったが、例えば鉄塔に架設され架空ケーブルは懸垂状態に張られるのでその下方の回転体に上方に位置する多数の回転体の重量が累積して掛かり、野鳥の体重では回転しなくなるという問題があった。そこで、１０メートル置き程度に架空ケーブルに固定具を取付け、回転体の重量を該固定具に負荷させることで多数の回転体の重量が累積しないようにすることが考えられたが、長い架空ケーブルの途中に固定具や回転体を取付けるためには、鉄塔の場合は作業者が架空ケーブルにぶら下がって移動する危険な宙乗り作業が必要になり、電柱の場合はバケット車を使用することもできるが農地や崖地などではバケット車を進入することもできないなど、鳥害防止のために多大な労力、コストを要するものであった。
【０００４】
また、上記従来の鳥害防止器は、複数本のバーの両端部を支持体に差し込んで組み立てるとともに、２分割された支持体を開閉可能に枢着するなど、複雑な構造であり、所要部品点数が多くその異種材料間の接着強度が弱くならざるを得ず、製作コストも高いものになるという問題があった。
【課題を解決するための手段】
【０００５】
本発明は上記課題を解決しようとするもので、請求項１に記載の発明は、架空ケーブルを包囲する弾性プラスチック製のパイプと、両端部に環状の支持体が設けられ該支持体の外周縁間に複数本のバーを平行に設けた回転体とからなり、該支持体に前記パイプを貫挿することにより該回転体が回転自在に支持されるようにした回転式鳥害防止器であって、前記パイプは内側に架空ケーブルを挿入可能にする縦方向の開閉条を形成するとともに該パイプの両端に連結体を設け、さらに前記回転体の長手方向への移動が防がれるように移動阻止手段を設けたことを特徴とする。
このため、架空ケーブルに対しその長さに応じて複数本のパイプを連結し該各パイプに回転体を設ければ、架空ケーブルが懸垂状に張設されていても下方の回転体に対して荷重が累積状に掛かることなく、各回転体を鳥の体重によって回転し得る状態に保つことかできる。
【０００６】
また請求項２に記載の発明は、架空ケーブルを包囲する弾性プラスチック製のパイプと、両端部に環状の支持体が設けられ該支持体の外周縁間に複数本のバーを平行に設けた回転体とからなり、該支持体に前記パイプを貫挿することにより該回転体が回転自在に支持されるようにした回転式鳥害防止器であって、前記パイプは内側に架空ケーブルを挿入可能にする縦方向の開閉条を形成するとともに該パイプの両端に連結体を設け、前記回転体は縦方向に２分割された一対の略同形のプラスチック成形品を合着することにより籠状に組み立てられたものであることを特徴とする。
このため、回転体が少ない部品で強度のあるものに簡単に組み立てられ、製造コストが軽減されるとともに、その重量も軽くできる。
【０００７】
また請求項３に記載の発明は、上記請求項１または２に記載の架空ケーブル用回転式鳥害防止器において、回転体の長手方向への移動を防ぐためパイプの連結体の外径を支持体の内径より大径に形成したことを特徴とする。
このため、回転体の荷重が下方の回転体に累積状に掛かることなく、各回転体を鳥の体重によって回転し得る状態に保つことかできる。
【０００８】
また請求項４に記載の発明は、上記請求項２または３に記載の架空ケーブル用回転式鳥害防止器において、プラスチック成形品に係合孔および係合爪を一体に形成し、その係合により互いに合着し得るようにしたことを特徴とする。
このため、回転体の組み立てが容易になり、電柱や鉄塔の上でも取付作業が迅速にできるようになる。
【０００９】
また請求項５に記載の発明は、請求項１〜５のいずれかに記載の架空ケーブル用回転式鳥害防止器において、パイプの一端に雄型連結体を形成し、他端に雌型連結体を形成したことを特徴とする。
このため、パイプどうしの連結が容易となり、電柱上や鉄塔上での取付の労力を軽減させる。
【００１０】
また請求項６に記載の発明は、請求項１〜５のいずれかに記載の架空ケーブル用回転式鳥害防止器において、パイプの内面を凹凸状に形成したことを特徴とする。
このため、架空ケーブルの外周面にパイプの内面がベタに接触することなく隙間ができるので、雨水等の滞留を防ぎ乾燥し易くなり架空ケーブルが錆びるのを防ぐ。
【発明の効果】
【００１１】
長い架空ケーブルに対しても回転式鳥害防止器の取付が容易になるとともに、各回転体が常に鳥の体重で回転するよう取り付けられる。また、重量および製造コストが軽減される。
【実施例１】
【００１２】
次に本発明の鳥害防止器の実施例を説明する。図１は架空ケーブルを包囲する数十センチ乃至数メートルの長さの弾性プラスチック製のパイプを示す。該パイプ１はポリプロピレン等の弾性プラスチックを押出成形することにより筒状に形成され、図２〜図４に示したように、内面に縦筋状の凹凸２が同時成形される。なお、該パイプ１の一側に嵌合溝３ａと突条３ｂとからなる縦方向の開閉条３を形成し、該嵌合溝３ａと突条３ｂとを分離することにより該パイプ１の一側が開き、該パイプ１の内側に架空ケーブル３０を挿入できるようにしている。また、該パイプ１の一端にプラスチックの射出成形により成形された雄型連結体４を固着し、該パイプ１の他端には同じくプラスチックの射出成形により成形された雌型連結体５を固着している。該雄型連結体４は、切欠筒状のものであって先端部位外周に環状突出部６が形成されているとともに、内周に小突起７が形成されている。そして切欠筒状の切欠縁に一対のタブ８を一体に形成したもので、パイプ１の一端に開設された止孔９に該小突起７を嵌着することにより該雄型連結体４をパイプ１の一端に抜脱不能に固着している。また、雌型連結体５は同じく切欠筒状のものであって、内周に前記環状突出部６が係合する環状凹溝１０、および小突起１１が形成され、両端部外周に鍔部１２が形成され、その切欠筒状の切欠縁に一対のタブ１３が一体に形成されている。そして、パイプ１の他端に開設された止孔１４に該小突起１１を嵌着することにより該雌型連結体５をパイプ１の他端に抜脱不能に固着している。なお、８ａ，１３ａはタブ８およびタブ１３に開設された透孔、１４は該透孔に貫挿し得るプラスチック製の抜止ピンである。
【００１３】
一方、回転体２０は、図５，図６に示したように、縦方向に２分割された一対の同形のプラスチック成形品２１を合着することにより籠状に形成されるもので、該プラスチック成形品２１は、両端部に半円弧板状の支持体２２，２３が形成され、該支持体の外周縁間に図４に示されたように複数本の異形断面のバー２４ａ〜２４ｄを平行に形成している。また、支持体２２，２３の外側面には同心状に円弧状の突条２５，２６が一体に形成されている。また、２７は該バーの中間部にて各バーを連結するように一体に形成された円弧状の補強リブである。また、一方の縁に位置するバー２４ａには複数の係合孔２８を適宜間隔で形成するとともに、一方の縁に位置するバー２４ｄに該係合孔に合致し得る係合爪２９を形成してなる。なお、該係合爪２９は先端部が弾性によって開閉可能なるように二股状に形成されたものである。
【００１４】
上記パイプ１により架空ケーブル３０を包囲するに際しては、該パイプ１は弾性プラスチック製であることから一側の開閉条３が開かれ、その内側に架空ケーブル３０を挿入することができる。そして、該開閉条３を閉じることにより、該架空ケーブルを該パイプ１によって包囲した後、図７に示したように該パイプ１を両側から挟むように一対のプラスチック成形品２１を配置し、係合爪２８を相対するプラスチック成形品２１の係合孔２７に嵌合することにより、支持体２２，２３の内周縁を該パイプ１の外周面に摺接させ、籠状の回転体２０を該パイプ１の周囲に回転自在に設ける。なお、雌型連結体５に鍔部１２を形成し該雌型連結体の外径を支持体２２，２３の内径より大径なるようにすることで、該回転体２０が該パイプから抜け出るのを防がれる。そして前記突条２５，２６を該雌型連結体５の端面に摺接させる。該回転体２０は、図８に示したように一本のパイプ１に対し複数個（図８では４個）設けることができ、隣り合う回転体どうしは互いの突条２５，２６が摺接する。
【００１５】
このように本発明の鳥害防止器は、架空ケーブル３０を包囲するパイプ１を設け該パイプの外周に回転体２０を回転自在に設け、該パイプ１の連結体５によって該回転体の長手方向への移動を防がれるようにしたものであるので、長い架空ケーブルに対してはその長さに応じて適宜長さのパイプを連結して夫々に回転体２０を回転自在に設ければ、架空ケーブルが懸垂状に張設されていても回転体の荷重が該パイプの連結体に掛かることで下方の回転体に対して荷重が累積して掛かることなく、各回転体を鳥の体重によって回転し得る状態に保つことかできる。
【００１６】
また、縦方向に２分割された一対の同形のプラスチック成形品を合着することにより、少ない部品から強度のある回転体が簡単に組み立てられるので、製造コストが大幅に軽減されるとともに、回転体の重量が軽量化され、架空ケーブルに対する重力負荷も軽減される。
また、宙乗り作業、或いはバケット車を要さず、作業者が鉄塔や電柱、その他の構築物に登れば、長い架空ケーブルに対してもパイプを端から連結しながら多数の回転体を容易に取り付けられるので、鳥害防止器の取付コストが軽減される。
また、パイプ１の内面に縦筋状の凹凸２を設けたことにより、超高圧の送電線等金属製の裸線の場合、パイプと電線の接触部に雨水が残り、錆が発生し易くなるのを防止できる。
【００１７】
なお、支持体２２，２３の内周とパイプ１の外周面との間に摩擦を軽減するリング（図示せず）を介在させることで、回転体２０をさらに軽く回り得るよう支持することも可能である。
また、パイプ１は、回転体２０を回転自在に支持できるものであれば、生地を網状または多孔状の形態としてもよい。また、１本のパイプに回転体を１個だけ設けても、或いは回転体の荷重が過大に累積せず回転性能が維持される限り複数個設けてもよい。
【図面の簡単な説明】
【００１８】
【図１】本発明の実施例を示す鳥害防止器のパイプの斜視図。
【図２】図１のパイプの連結部の拡大斜視図。
【図３】本発明の実施例を示す鳥害防止器の連結部の縦断面図。
【図４】図３のＡ−Ａ線断面図。
【図５】本発明の実施例を示す鳥害防止器の回転体の分解斜視図。
【図６】本発明の実施例を示す鳥害防止器の回転体の斜視図。
【図７】本発明の実施例を示す鳥害防止器の斜視図。
【図８】本発明の実施例を示す鳥害防止器の側面図。
【符号の説明】
【００１９】
１                パイプ
２                凹凸
３                開閉条
４                雄型連結体
５                雌型連結体
１４              抜止ピン
２０              回転体
２１              プラスチック成形品
２２，２３        支持体
２４ａ〜２４ｄ    バー
２５，２６        突条
２７              補強リブ
２８              係合孔
２９              係合爪
３０              架空ケーブル
【図１】
2006000035.tif 000003
【図２】
2006000035.tif 000004
【図３】
2006000035.tif 000005
【図４】
2006000035.tif 000006
【図５】
2006000035.tif 000007
【図６】
2006000035.tif 000008
【図７】
2006000035.tif 000009
【図８】
2006000035.tif 000010